(57)【要約】【課題】画像データを表示部にぴったりと表示するように位置調整できる、表示装置、画像投影装置および表示位置調整方法を提供する。【解決手段】画像投影装置１０は、画像データを記憶する画像処理バッファ１１３と、画像データをスクリーンに投影したときの投影位置を所定方向に移動させる指示情報を外部から取得した場合に、画像データのうちスクリーンに投影する領域を示す有効画像エリアにおける所定方向側の端部のラインの画像データを削除し、その画像データ全体を、所定方向側に削除したライン数分シフトさせ、所定方向側とは反対方向側の端部のラインに削除したライン数分の新たな画像データを付加して、位置調整後の画像データを生成する位置調整部１１２と、生成した位置調整後の画像データをスクリーンに投影する投影部４と、を備える。【選択図】図３
2017062292.tif 000002
【特許請求の範囲】
【請求項１】
画像データを記憶する画像処理バッファと、
前記画像データを表示部に表示したときの表示位置を所定方向に移動させる指示情報を外部から取得した場合に、
前記画像データのうち前記表示部に表示する領域を示す有効画像エリアにおける前記所定方向側の端部のラインの画像データを削除し、その画像データ全体を、前記所定方向側に削除したライン数分シフトさせ、前記所定方向側とは反対方向側の端部のラインに前記削除したライン数分の新たな画像データを付加して、位置調整後の画像データを生成する位置調整手段と、
を備えることを特徴とする表示装置。
【請求項２】
前記位置調整手段は、
前記表示位置を１ライン上方向又は下方向に移動させる前記指示情報を取得した場合において、
前記画像データの最上部又は最下部の１ラインに表示すべき画像データがないときに、当該画像データの最上部又は最下部の１ライン分のデータを削除し、その画像データ全体を１ライン分上又は下にシフトさせ、当該画像データの最下部又は最上部の１ラインに新たな画像データを付加して、前記位置調整後の画像データを生成すること、
を特徴とする請求項１に記載の表示装置。
【請求項３】
前記位置調整手段は、
前記付加する新たな画像データを、前記所定方向側とは反対方向側の端部のラインの画像データの色彩と黒色との中間色にすること、
を特徴とする請求項１又は２に記載の表示装置。
【請求項４】
前記位置調整手段は、
前記付加する削除したライン数分の新たな画像データを、前記所定方向側とは反対方向側の端部のラインの画像データの色彩と黒色とのグラデーションとなるように彩色すること、
を特徴とする請求項１乃至３のいずれか１項に記載の表示装置。
【請求項５】
請求項１乃至４のいずれか１項に記載の表示装置と、
前記生成した位置調整後の画像データを前記表示部としてのスクリーンに投影する投影手段を
さらに備えることを特徴とする画像投影装置。
【請求項６】
前記画像データを外部から前記画像処理バッファに記憶する際の経路となる入力端子、前記画像データの信号形式、前記画像データの解像度の少なくとも１つを用いて、前記画像データの送信元がパーソナルコンピュータか否かを判定する入力信号判定手段と、
前記入力信号判定手段が前記画像データの送信元がパーソナルコンピュータでないと判定した場合に、前記画像データの投影位置を前記スクリーンにずれなく適合させるように調整するスケーリング手段と、
をさらに備えることを特徴とする請求項５に記載の画像投影装置。
【請求項７】
画像データを記憶する画像処理バッファを備えた表示装置が、
前記画像データを表示部に表示したときの表示位置を所定方向に移動させる指示情報を、外部から取得した場合に、
前記画像データのうち前記表示部に表示する領域を示す有効画像エリアにおける前記所定方向側の端部のラインの画像データを削除し、その画像データ全体を、前記所定方向側に削除したライン数分シフトさせ、前記所定方向側とは反対方向側の端部のラインに前記削除したライン数分の新たな画像データを付加して、位置調整後の画像データを生成するステップを、
実行することを特徴とする表示位置調整方法。
【発明の詳細な説明】
【技術分野】
【０００１】
本発明は、表示装置、画像投影装置および表示位置調整方法に関する。
【背景技術】
【０００２】
従来、パーソナルコンピュータ（以下、単に「コンピュータ」という。）やビデオレコーダ等から出力される画像信号に基づく画像を、プロジェクタやデジタルサイネージ等の画像投影装置によってスクリーンに投影する際に、投影画像をスクリーンの枠内に収まるように、位置調整が行われる（例えば、特許文献１参照）。
【０００３】
アナログＲＧＢ信号の信号フォーマットは図８に示すようになっており、例えば、投影画像の投影表示位置を１ライン上方向に移動させる場合、画像投影装置側で「表示開始ライン」を１ライン下にシフトし、最上部の１ラインを表示させないようにして、上方向に移動させたように見せている。また、投影画像の投影表示位置を１ライン下方向に移動させる場合、画像投影装置側で「表示開始ライン」を１ライン上にシフトし、最下部の１ラインを表示させないようにして、下方向に移動させたように見せている。
【０００４】
通常のコンピュータ等からの画像の投影では、入力信号の全画像エリアを投影させることが目的であるため、上記手法による投影表示位置の微調整で問題は発生しない。
【先行技術文献】
【特許文献】
【０００５】
【特許文献１】特開２０１４−０８９２４２号公報
【発明の概要】
【発明が解決しようとする課題】
【０００６】
しかしながら、デジタルサイネージ等により画像をスクリーンに投影する場合、投影対象物に応じた形状のスクリーン（例えば、人型のスクリーン）にぴったりと（ずれがないように合致させて）投影できるように投影位置を調整する必要がある。
【０００７】
ＶＥＳＡ（Video Electronics Standards Association）規格（図８参照）では、例えば、「表示開始ライン」を１ライン下にシフトさせると、「有効画像エリア」も１ライン分下側に新たに確保しなければならない。この場合、「垂直フロントポーチ（V FrontPorch）」のライン数しか上方向に移動できないという制限がある。
例えば、ＷＸＧＡ（解像度1280×800／60Hz）では、「垂直フロントポーチ」は３ラインしかないため、最大でも３ラインしか上方向に動かせない。
【０００８】
デジタルサイネージ等により画像をスクリーンに投影する場合、入力信号の全画像エリアではなく、全画像エリアの中で特定エリアのみに画像データがあり、その画像データをスクリーンにぴったりと投影できるように調整する必要がある。この場合、ＶＥＳＡ規格で設定された「垂直フロントポーチ」や「垂直バックポーチ」で制限される移動量では不十分となることがある。
【０００９】
本発明の課題は、画像データをスクリーンにぴったりと投影するように位置調整できる、表示装置、画像投影装置および表示位置調整方法を提供する。
【課題を解決するための手段】
【００１０】
前記課題を解決するため、本発明に係る表示装置は、
画像データを記憶する画像処理バッファと、
前記画像データを表示部に表示したときの表示位置を所定方向に移動させる指示情報を外部から取得した場合に、
前記画像データのうち前記表示部に表示する領域を示す有効画像エリアにおける前記所定方向側の端部のラインの画像データを削除し、その画像データ全体を、前記所定方向側に削除したライン数分シフトさせ、前記所定方向側とは反対方向側の端部のラインに前記削除したライン数分の新たな画像データを付加して、位置調整後の画像データを生成する位置調整手段と、
を備えることを特徴とする。
【００１１】
また、本発明に係る表示位置調整方法は、
画像データを記憶する画像処理バッファを備えた表示装置が、
前記画像データを表示部に表示したときの表示位置を所定方向に移動させる指示情報を、外部から取得した場合に、
前記画像データのうち前記表示部に表示する領域を示す有効画像エリアにおける前記所定方向側の端部のラインの画像データを削除し、その画像データ全体を、前記所定方向側に削除したライン数分シフトさせ、前記所定方向側とは反対方向側の端部のラインに前記削除したライン数分の新たな画像データを付加して、位置調整後の画像データを生成するステップを、
実行することを特徴とする。
【発明の効果】
【００１２】
本発明によれば、画像データをスクリーンにぴったりと投影するように位置調整する、表示装置、画像投影装置および表示位置調整方法を提供することができる。
【図面の簡単な説明】
【００１３】
【図１】本実施形態に係る画像投影装置の全体斜視図である。
【図２】図１に示す画像投影装置の断面図である。
【図３】本実施形態に係る画像投影装置の機能構成例を示す図である。
【図４】本実施形態に係る画像データを説明するための図である。
【図５】本実施形態に係る画像投影装置が、投影位置を１ライン上方向に移動させる場合の処理の示すフローチャートである。
【図６】本実施形態に係る画像投影装置が、投影位置を１ライン下方向に移動させる場合の処理を示すフローチャートである。
【図７】本発明の第２実施形態に係る画像投影装置の機能構成例を示す図である。
【図８】画像投影装置に入力される画像データの信号フォーマットを示す図である。
【発明を実施するための形態】
【００１４】
次に、本発明を実施するための形態（以下、「本実施形態」という。）における、画像投影装置１０および表示位置調整方法について説明する。
【００１５】
＜発明の概要＞
従来のデジタルサイネージ等の画像投影装置は、設置後、画像投影装置側で投影位置（表示位置）の調整が必要な場合において、例えば、垂直方向の位置を移動して調整したいときに、図８に示した「表示開始ライン」を上下にシフトすることにより投影位置の調整を実現していた。しかし、前述のように、「垂直フロントポーチ」「垂直バックポーチ」に限りがあるため、十分な移動量が得られず、スクリーンに合わせきれないケースが発生していた。
【００１６】
これに対し、本実施形態に係る画像投影装置１０は、投影位置の調整を以下のようにして実行する。
画像投影装置１０は、例えば、投影画像の投影位置を１ライン上方向に移動させる場合、入力画像の最上部の１ライン（の全て）に画像データがない、つまり、黒データ若しくは黒と識別できるレベルのデータである、と判定したとき、画像投影装置１０の一時的なデータの保管領域である画像処理バッファ内で最上部の１ライン分のデータを削除し、データ全体を１ライン上にシフトさせ、最下部の１ラインにデータ（例えば、１ライン全て黒データ）を付け加える。
画像投影装置１０は、このように画像処理バッファ内で画像データを作り直すことにより、入力信号の「垂直フロントポーチ」「垂直バックポーチ」を含むブランキング期間（図８参照）の制限を受けることなく、投影位置を移動させることが可能になり、画像データをスクリーンぴったりに投影させることができる。
【００１７】
＜画像投影装置の構成＞
次に、本実施形態に係る画像投影装置１０の構成について説明する。
図１は、本実施形態に係る画像投影装置１０の全体斜視図である。この画像投影装置１０は、通常、店舗や展示会会場などに設置され、商品の説明、案内等のコンテンツを再生する用途で使用される。
【００１８】
画像投影装置１０は、全体略矩形箱状の筺体１を有する。この筺体１の一方の端部（図１において右側）には、スクリーン取付部３ａを介して、スクリーン３が取り付けられる。このスクリーン３は、コンテンツに応じて適切な形状のスクリーン３に交換することが可能であってもよい。
【００１９】
筺体１は、上方に開口部を有している。そして、開口部にはパネル２が取り付けられており、パネル２の中央は光を透過する透明部２ａとなっている。
【００２０】
図２に示すように、筺体１の内部における略中央には、画像を形成する投影光Ｌを生成して筺体１の後方（図２において左側）に向けて射出する投影部４が設けられている。
そして、筺体１の後方には、凹面の反射面を有する第１のミラー５（５ａ）が設けられており、第１のミラー５（５ａ）が、投影部４からの投影光Ｌを、平面の反射面を有する第２のミラー５（５ｂ）に向けて反射し、さらに、投影光Ｌは、第２のミラー５（５ｂ）でスクリーン３へ向けて反射される。
【００２１】
よって、投影部４から発せられた投影光（画像）Ｌは、第１のミラー５（５ａ）で下方に向けて反射された後、第２のミラー５（５ｂ）で上方に向けて反射され、パネル２の透明部２ａを通って筺体１の外部に設けられているスクリーン３に照射される。
【００２２】
このスクリーン３は、例えばアクリル板などの人型に成形された一枚の透明板の後方に、フィルム状のフレネルレンズが積層された背面投影用のフィルムスクリーンが貼付されて構成されたスクリーンである。したがって、スクリーン３の後方側に斜め下方向から投影された投影光（画像）Ｌは、フレネルレンズによって屈折されてスクリーン３の前方側に投影方向が変化する。
【００２３】
そして、アクリル板内には、アクリル板を透過する投影光Ｌが画像としてきれいに認識できるように光を散乱する散乱微粒子が分散されているので、アクリル板状に画像が表示され、スクリーン３の前方側（図１において右側）からスクリーン３を見るようにすることで投影された画像を見ることができる。
【００２４】
＜画像投影装置の機能構成＞
次に、画像投影装置１０が備える機能について説明する。
図３は、本実施形態に係る画像投影装置１０の機能構成例を示す図である。
図３に示すように、画像投影装置１０は、制御部１１、信号入力部１２、記憶部１３、操作部１４、音処理部１５、投影部４、ミラー５、マイクロミラー素子６、投影レンズ部７、光源部８等を備えている。なお、各構成は、内部バス等を介して互いに通信可能に接続されている。
【００２５】
制御部１１は、図示は省略するが、ＣＰＵ（Central Processing Unit）、ＲＡＭ（Random Access Memory）等を備えて構成される。制御部１１のＣＰＵは、記憶部１３のプログラム記憶部１３１に記憶されているプログラムを読み出し、ＲＡＭのワークエリアに展開し、展開したプログラムにしたがって、後述する投影位置調整処理等を実行する。
この制御部１１は、画像処理部１１１、位置調整部１１２、画像処理バッファ１１３等の各種機能を実現する。
【００２６】
画像処理部１１１は、信号入力部１２を介して、コンピュータやビデオレコーダ等から画像データを取得し、画像処理バッファ１１３に格納する。そして、画像処理部１１１は、画像処理バッファ１１３に格納された画像データを、投影部４を介して、スクリーン３に出力する処理を実行する。
この画像データは、図４に例示するように、画像データ全体のうち、図１に示すスクリーン３の形状（例えば、人型）に合わせて、コンピュータ等により縦横の縮尺を補正したサイズに編集されたデータである。
【００２７】
位置調整部１１２は、操作部１４等を介して、投影位置（表示位置）の調整の指示情報を外部から取得した場合に、画像処理バッファ１１３に格納された画像データに対して、投影位置調整処理を実行する。
具体的には、位置調整部１１２は、投影画像の投影位置を１ライン上方向に移動させる場合において、入力画像の最上部の１ラインが黒データ（若しくは、黒データと識別できるレベルのデータ）である、つまり、最上部の１ラインに表示すべき画像データがない、と判定したとき、画像処理バッファ１１３内で最上部の１ライン分のデータを削除し、データ全体を１ライン上にシフトさせ、最下部の１ラインにデータ（例えば、１ライン全て黒データ）を付け加える。
また、位置調整部１１２は、投影画像の投影位置を１ライン下方向に移動させる場合において、入力画像の最下部の１ラインが黒データ（若しくは、黒データと識別できるレベルのデータ）である、つまり、最下部の１ラインに表示すべき画像データがない、と判定したとき、画像処理バッファ１１３内で最下部の１ライン分のデータを削除し、データ全体を１ライン下にシフトさせ、最上部の１ラインにデータ（例えば、１ライン全て黒データ）を付け加える。
【００２８】
つまり、位置調整部１１２は、画像データをスクリーンに投影したときの投影位置を所定方向（例えば、上方向・下方向）に移動させる指示情報を外部から取得した場合に、その画像データのうちスクリーンに投影する領域を示す有効画像エリア（図８参照）における所定方向側の端部のラインの画像データを削除し、その画像データ全体を所定方向側に削除したライン数分（例えば、１ライン）シフトさせ、次に、所定方向側とは反対方向側（下方向・上方向）の端部のラインに、削除したライン数分の新たな画像データを付加する。
なお、位置調整部１１２による投影位置調整処理の詳細は後記する。
【００２９】
画像処理バッファ１１３は、信号入力部１２を介して画像処理部１１１が取得した画像データを一時的に記憶しておく。
【００３０】
信号入力部１２は、コンピュータやビデオレコーダ等から送信される、ＵＳＢ（Universal Serial Bus）信号、ＲＧＢ信号、ビデオ信号等を受信するための各種インタフェースを含んで構成される。
信号入力部１２は、入力された信号（画像データ）を、制御部１１の画像処理部１１１に出力する。
【００３１】
記憶部１３は、ＨＤＤ（Hard Disk Drive）や半導体の不揮発性メモリ等により構成される。記憶部１３には、プログラム記憶部１３１が格納される。
このプログラム記憶部１３１には、制御部１１で実行される各種プログラムや、これらのプログラムの実行に必要なデータ等が記憶される。
【００３２】
操作部１４は、例えば、各種機能キーやカーソルキー等（図示省略）を有し、ユーザによる指示情報を受け付けて、制御部１１に出力する。
【００３３】
音処理部１５は、スピーカ９が接続され、制御部１１により指示された音声データを音声信号に変換してスピーカ９から出力させる。なお、音処理部１５は、画像処理部１１１が取得した入力信号（映像データ）に音声データが含まれていた場合に、上記処理を実行する。
【００３４】
投影部４は、制御部１１から出力されてきた映像信号（画像データ）に応じて、所定のフォーマットにしたがったフレームレート、例えば１２０（フレーム／秒）と色成分の分割数、および表示諧調数を乗算した、より高速な時分割駆動により、表示素子であるマイクロミラー素子６を表示駆動する。これにより、投影部４は、画像データをスクリーン３に投影させる。
【００３５】
このマイクロミラー素子６は、アレイ状に配列された複数個、例えばＷＸＧＡ（横１２８０画素×縦７６８画素）分の微小ミラーの各傾斜角度を個々に高速でオン／オフ動作することで、その反射光により光像を形成する。
【００３６】
光源部８は、ＬＥＤ（Light Emitting Diode）等を有する。また、光源部８は、広義でのＬＥＤとして、ＬＤ（半導体レーザ）や有機ＥＬ素子を含むものとしてもよい。この光源部８からの原色光が、ミラー５で反射してマイクロミラー素子６に照射させ、投影レンズ部７を介して、スクリーン３（図１，図２参照）に投影される。
【００３７】
＜処理の流れ＞
次に、本実施形態に係る画像投影装置１０の処理（投影位置調整処理）の流れについて説明する。
まず、図５を参照して、画像投影装置１０の位置調整部１１２が、投影画像の投影位置を１ライン上方向に移動させる場合の処理を説明する。次に、図６を参照して、画像投影装置１０の位置調整部１１２が、投影画像の投影位置を１ライン下方向に移動させる場合の処理を説明する。
【００３８】
図５は、本実施形態に係る画像投影装置１０が、投影位置を１ライン上方向に移動させる場合の処理の示すフローチャートである。なお、ここでは、画像処理部１１１により、信号入力部１２を介して画像データが画像処理バッファ１１３に格納されているものとして説明する。
【００３９】
まず、画像投影装置１０の位置調整部１１２は、操作部１４等を介して、投影位置を１ライン上方向に移動させる指示情報を受信する（ステップＳ１０）。なお、位置調整部１１２は、信号入力部１２を介して、通信接続された外部装置（コンピュータ等）から指示情報を取得してもよい。
【００４０】
続いて、位置調整部１１２は、画像処理バッファ１１３に格納された画像データについて、最上部の１ライン（全て）が黒データ（若しくは、黒データと識別できるレベルのデータ）であるか否かを判定する（ステップＳ１１）、つまり、最上部の１ラインに表示すべき画像データがあるか否かを判定する。
ここで、位置調整部１１２は、最上部の１ラインが黒データでないと判定した場合（ステップＳ１１→Ｎｏ）、つまり、最上部の１ラインに表示すべき画像データがあると判定した場合に、ステップＳ１５へ進む。一方、位置調整部１１２は、最上部の１ラインが黒データであると判定した場合（ステップＳ１１→Ｙｅｓ）、つまり、最上部の１ラインに表示すべき画像データがないと判定した場合には、次のステップＳ１２へ進む。
【００４１】
ステップＳ１２において、位置調整部１１２は、画像処理バッファ１１３に格納された画像データの最上部１ライン分のデータを削除する。
続いて、位置調整部１１２は、ステップＳ１２において、最上部１ライン分のデータを削除した画像データのデータ全体を１ライン上にシフトさせる（ステップＳ１３）。
次に、位置調整部１１２は、ステップＳ１３においてデータ全体を１ライン上にシフトさせた画像データについて、最下部１ラインにデータ（例えば、１ライン全て黒データ）を付け加える（ステップＳ１４）。
このようにして、位置調整部１１２が、投影位置を１ライン上方向に移動させた新たな画像データを生成する。そして、この新たな画像データを、画像処理部１１１が投影部４を介して、スクリーン３に投影する。
【００４２】
一方、位置調整部１１２は、ステップＳ１１において、最上部の１ラインが黒データでないと判定した場合（ステップＳ１１→Ｎｏ）、表示開始ライン（図８参照）を１ライン下にシフトする（ステップＳ１５）。
このようにして、位置調整部１１２は、従来の位置調整の手法を用いて、投影位置を１ライン上方向に移動させる設定を行う。そして、この設定に基づき、画像処理部１１１が投影部４を介して、スクリーン３に投影する。
【００４３】
以上のようにすることで、本実施形態に係る画像投影装置１０によれば、ＶＥＳＡ規格で設定された「垂直フロントポーチ」で設定されたライン数に制限されず、画像データをスクリーンにぴったりと投影するように位置調整することができる。
【００４４】
図６は、本実施形態に係る画像投影装置１０が、投影位置を１ライン下方向に移動させる場合の処理を示すフローチャートである。なお、ここでは、画像処理部１１１により、信号入力部１２を介して画像データが画像処理バッファ１１３に格納されているものとして説明する。
【００４５】
まず、画像投影装置１０の位置調整部１１２は、操作部１４等を介して、投影位置を１ライン下方向に移動させる指示情報を受信する（ステップＳ２０）。
【００４６】
続いて、位置調整部１１２は、画像処理バッファ１１３に格納された画像データについて、最下部の１ライン（全て）が黒データ（若しくは、黒データと識別できるレベルのデータ）であるか否かを判定する（ステップＳ２１）、つまり、最下部の１ラインに表示すべき画像データがあるか否かを判定する。
ここで、位置調整部１１２は、最下部の１ラインが黒データでないと判定した場合（ステップＳ２１→Ｎｏ）、つまり、最下部の１ラインに表示すべき画像データがあると判定した場合に、ステップＳ２５へ進む。一方、位置調整部１１２は、最下部の１ラインが黒データであると判定した場合（ステップＳ２１→Ｙｅｓ）、つまり、最下部の１ラインに表示すべき画像データがないと判定した場合には、次のステップＳ２２へ進む。
【００４７】
ステップＳ２２において、位置調整部１１２は、画像処理バッファ１１３に格納された画像データの最下部１ライン分のデータを削除する。
続いて、位置調整部１１２は、ステップＳ２２において、最下部１ライン分のデータを削除した画像データのデータ全体を１ライン下にシフトさせる（ステップＳ２３）。
次に、位置調整部１１２は、ステップＳ２３においてデータ全体を１ライン下にシフトさせた画像データについて、最上部１ラインにデータ（例えば、１ライン全て黒データ）を付け加える（ステップＳ２４）。
このようにして、位置調整部１１２が、投影位置を１ライン下方向に移動させた新たな画像データを生成する。そして、この新たな画像データを、画像処理部１１１が投影部４を介して、スクリーン３に投影する。
【００４８】
一方、位置調整部１１２は、ステップＳ２１において、最下部の１ラインが黒データでないと判定した場合（ステップＳ２１→Ｎｏ）、表示開始ライン（図８参照）を１ライン上にシフトする（ステップＳ２５）。
このようにして、位置調整部１１２は、従来の位置調整の手法を用いて、投影位置を１ライン下方向に移動させる設定を行う。そして、この設定に基づき、画像処理部１１１が投影部４を介して、スクリーン３に投影する。
【００４９】
以上のようにすることで、本実施形態に係る画像投影装置１０によれば、ＶＥＳＡ規格で設定された「垂直バックポーチ」で設定されたライン数に制限されず、画像データをスクリーンにぴったりと投影するように位置調整することができる。
つまり、本実施形態に係る画像投影装置１０によれば、入力信号の「垂直フロントポーチ」「垂直バックポーチ」を含むブランキング期間（図８参照）の制限を受けることなく、投影位置を移動させることが可能となる。
【００５０】
なお、画像投影装置１０の位置調整部１１２は、投影位置を１ライン上方向に移動させる場合の図５のステップＳ１４において、データ全体を１ライン上にシフトさせた画像データの最下部１ラインに、黒データを付け加えるものとして説明した。しかしながら、本実施形態に係る画像投影装置１０はこれに限定されず、位置調整部１１２が、データ全体を１ライン上にシフトさせた画像データの最下部１ラインの画像データと黒データとの間の中間色のデータを生成し、その生成した中間色の画像データを付け加えるようにしてもよい。
また、投影位置を１ライン下方向に移動させる場合の図６のステップＳ２４においても同様に、位置調整部１１２が、データ全体を１ライン下にシフトさせた画像データの最上部１ラインの画像データと黒データとの間の中間色のデータを生成し、その生成した中間色の画像データを付け加えるようにしてもよい。
このように、投影画像と黒データ（黒画像）との間に、中間色の領域を形成することにより、スクリーン３の外枠付近が黒くなることを防ぐことができる。  
【００５１】
≪第２実施形態≫
次に、本発明の第２実施形態に係る画像投影装置１０ａについて説明する。
図７は、本発明の第２実施形態に係る画像投影装置１０ａの機能構成例を示す図である。
図３に示した画像投影装置１０との違いは、制御部１１に入力信号判定部１１４およびスケーリング部１１５を備えていることである。その他の構成については、図３に示した本実施形態に係る画像投影装置１０と同様であるので、同じ名称と符号を付し、説明を省略する。
【００５２】
第２実施形態に係る画像投影装置１０ａは、本実施形態に係る画像投影装置１０の投影位置調整処理に加えて、入力信号により接続先を判定し、必要に応じて画像データをスクリーンの大きさに適合するように調整する機能を備えることを特徴とする。具体的には、画像投影装置１０ａは、コンピュータからの画像は、コンピュータ側において画像の編集（サイズ調整）が可能であるため、画像のスケーリング調整を行わないと判定する。これに対し、画像投影装置１０ａは、画像投影装置１０ａ内の内蔵メモリや、プレーヤー等の映像再生機器からの画像については、画像投影装置１０ａ側において、スケーリング調整を行うことで、スクリーン３にぴったりの画像を生成する。この機能を、画像投影装置１０ａは、制御部１１内の入力信号判定部１１４とスケーリング部１１５とにより実現する。
【００５３】
入力信号判定部１１４は、信号入力部１２から入力端子の情報、信号形式（ＲＧＢやＹＰｂＰｒ）、解像度等の基づき、画像データの送信元が、コンピュータ（ＰＣ）であるのか、それ以外のプレーヤー等であるのかを判定する。そして、入力信号判定部１１４は、その判定結果を、スケーリング部１１５に出力する。
例えば、入力信号判定部１１４は、入力信号（映像データ）を、Ｄ−Ｓｕｂ端子経由で受信した場合には、送信元をコンピュータであると判定し、Ｄ端子やＳ端子経由で受信した場合には、コンピュータ以外の（ビデオ）プレーヤー等からの入力信号であると判定する。また、入力信号判定部１１４は、例えば、信号モードがＷＸＧＡで、解像度1280×800であれば、コンピュータからの入力信号であると判定する。
【００５４】
スケーリング部１１５は、投影画像が、スクリーン３にぴったり合うように、画像データの大きさ（縦横の縮尺）を調整する。そして、その調整した画像データを画像処理部１１１に出力する。
【００５５】
このように、画像投影装置１０ａは、信号の入力経路（入力端子）や信号形式等に基づき、画像データの送信元がコンピュータ（ＰＣ）である場合には、画像のスケーリング調整を行わないようにすることができるので、無駄なスケーリングによる解像度の低下を防ぐことができる。
【００５６】
（変形例）
本発明は、上記実施形態に限定されることなく、本発明の趣旨を逸脱しない範囲で変更実施が可能である。
本実施形態に係る画像投影装置１０においては、図５および図６において、投影位置を１ライン上方向または下方向に移動させる場合について説明した。しかし、画像投影装置１０は、１ラインのみの移動に限定されず、２ライン以上の移動を一度に実行するように設定してもよい。
また、画像投影装置１０は、２ライン以上（例えば、Ｎライン）の移動を一度に実行する場合においては、位置調整部１１２が、データ全体をＮライン上（または下）にシフトさせた画像データの最下部（または最上部）１ラインの画像データと付加するデータとの間のＮライン分について、グラデーションの色彩（徐々に黒となるような色彩）でデータを生成し、その生成したＮラインのグラデーションの画像データを付け加えるようにしてもよい。このように、投影画像と黒データ（黒画像）との間に、グラデーションの領域を形成することにより、スクリーン３の外枠付近が突然黒くなることを防ぎ、投影画像を観る人の違和感を低減することができる。
【００５７】
また、本実施形態においては、画像投影装置１０が、投影位置を上方向または下方向に移動させる場合について説明した。この処理と同様に、画像投影装置１０は、投影位置を左方向または右方向に移動させる場合に、本発明を適用することができる。このようにすることで、「水平フロントポーチ」「水平バックポーチ」を含むブランキング期間の制限を受けることなく、投影画像を移動させることが可能となる。
上記実施形態においては、投影部４を有する画像投影装置１０について記載したが、これに限らない。例えば、液晶表示装置、有機ＥＬ等、他の表示装置であっても良い。
【００５８】
＜その他＞
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
画像データを記憶する画像処理バッファと、
前記画像データを表示部に表示したときの表示位置を所定方向に移動させる指示情報を外部から取得した場合に、
前記画像データのうち前記表示部に表示する領域を示す有効画像エリアにおける前記所定方向側の端部のラインの画像データを削除し、その画像データ全体を、前記所定方向側に削除したライン数分シフトさせ、前記所定方向側とは反対方向側の端部のラインに前記削除したライン数分の新たな画像データを付加して、位置調整後の画像データを生成する位置調整手段と、
を備えることを特徴とする表示装置。
＜請求項２＞
前記位置調整手段は、
前記表示位置を１ライン上方向又は下方向に移動させる前記指示情報を取得した場合において、
前記画像データの最上部又は最下部の１ラインに表示すべき画像データがないときに、当該画像データの最上部又は最下部の１ライン分のデータを削除し、その画像データ全体を１ライン分上又は下にシフトさせ、当該画像データの最下部又は最上部の１ラインに新たな画像データを付加して、前記位置調整後の画像データを生成すること、
を特徴とする請求項１に記載の表示装置。
＜請求項３＞
前記位置調整手段は、
前記付加する新たな画像データを、前記所定方向側とは反対方向側の端部のラインの画像データの色彩と黒色との中間色にすること、
を特徴とする請求項１又は２に記載の表示装置。
＜請求項４＞
前記位置調整手段は、
前記付加する削除したライン数分の新たな画像データを、前記所定方向側とは反対方向側の端部のラインの画像データの色彩と黒色とのグラデーションとなるように彩色すること、
を特徴とする請求項１乃至３のいずれか１項に記載の表示装置。
＜請求項５＞
請求項１乃至４のいずれか１項に記載の表示装置と、
前記生成した位置調整後の画像データを前記表示部としてのスクリーンに投影する投影手段を
さらに備えることを特徴とする画像投影装置。
＜請求項６＞
前記画像データを外部から前記画像処理バッファに記憶する際の経路となる入力端子、前記画像データの信号形式、前記画像データの解像度の少なくとも１つを用いて、前記画像データの送信元がパーソナルコンピュータか否かを判定する入力信号判定手段と、
前記入力信号判定手段が前記画像データの送信元がパーソナルコンピュータでないと判定した場合に、前記画像データの投影位置を前記スクリーンにずれなく適合させるように調整するスケーリング手段と、
をさらに備えることを特徴とする請求項５に記載の画像投影装置。
＜請求項７＞
画像データを記憶する画像処理バッファを備えた表示装置が、
前記画像データを表示部に表示したときの表示位置を所定方向に移動させる指示情報を、外部から取得した場合に、
前記画像データのうち前記表示部に表示する領域を示す有効画像エリアにおける前記所定方向側の端部のラインの画像データを削除し、その画像データ全体を、前記所定方向側に削除したライン数分シフトさせ、前記所定方向側とは反対方向側の端部のラインに前記削除したライン数分の新たな画像データを付加して、位置調整後の画像データを生成するステップを、
実行することを特徴とする表示位置調整方法。
【符号の説明】
【００５９】
１      筺体
２      パネル
２ａ    透明部
３      スクリーン
３ａ    スクリーン取付部
４      投影部
５      ミラー
５ａ    第１のミラー
５ｂ    第２のミラー
６      マイクロミラー素子
７      投影レンズ部
８      光源部
９      スピーカ
１０，１０ａ  画像投影装置
１１    制御部
１２    信号入力部
１３    記憶部
１４    操作部
１５    音処理部
１１１  画像処理部
１１２  位置調整部
１１３  画像処理バッファ
１１４  入力信号判定部
１１５  スケーリング部
１３１  プログラム記憶部
【図１】
2017062292.tif 000003
【図２】
2017062292.tif 000004
【図３】
2017062292.tif 000005
【図４】
2017062292.tif 000006
【図５】
2017062292.tif 000007
【図６】
2017062292.tif 000008
【図７】
2017062292.tif 000009
【図８】
2017062292.tif 000010